【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
前記第１レンズ群は、少なくとも１枚の正レンズと少なくとも１枚の負レンズとを有し、
前記第２レンズ群は、少なくとも１枚の正レンズと少なくとも１枚の負レンズとを有し、
前記第３レンズ群は、１枚の単レンズからなり、
前記第４レンズ群は、少なくとも１枚の正レンズと少なくとも１枚の負レンズとを有し、
以下の条件式を満足することを特徴とするズームレンズ。
−３．００＜ｆ３／ｆ４＜−０．６０
ただし、
ｆ３：前記第３レンズ群の焦点距離
ｆ４：前記第４レンズ群の焦点距離
【請求項２】
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
前記第１レンズ群は、少なくとも１枚の正レンズと少なくとも１枚の負レンズとを有し、
前記第２レンズ群は、少なくとも１枚の正レンズと少なくとも１枚の負レンズとを有し、
前記第３レンズ群は、１枚の単レンズからなり、
前記第４レンズ群は、少なくとも１枚の正レンズと少なくとも１枚の負レンズとを有し、
以下の条件式を満足することを特徴とするズームレンズ。
１．７０＜Ｂｆｗ／ｆｗ
ただし、
Ｂｆｗ：広角端状態における前記ズームレンズのバックフォーカス
ｆｗ  ：広角端状態における前記ズームレンズの焦点距離
【請求項３】
以下の条件式を満足することを特徴とする請求項１又は請求項２に記載のズームレンズ。
−２．００＜ｆ１／ｆｗ＜−１．００
ただし、
ｆ１：前記第１レンズ群の焦点距離
ｆｗ：広角端状態における前記ズームレンズの焦点距離
【請求項４】
以下の条件式を満足することを特徴とする請求項１から請求項３のいずれか１項に記載のズームレンズ。
１．００＜ｍｖ４／ｆｗ＜３．００
ただし、
ｍｖ４：広角端状態から望遠端状態への変倍の際の前記第４レンズ群の移動量
ｆｗ  ：広角端状態における前記ズームレンズの焦点距離
【請求項５】
以下の条件式を満足することを特徴とする請求項１から請求項４のいずれか１項に記載のズームレンズ。
０．４０＜（ｄｉｆ３４−ｄｉｆ２３）／ｄｉｓ２４ｗ＜１．３０
ただし、
ｄｉｆ２３  ：広角端状態における前記第２レンズ群と前記第３レンズ群との空気間隔から望遠端状態における前記第２レンズ群と前記第３レンズ群との空気間隔を引いた値
ｄｉｆ３４  ：広角端状態における前記第３レンズ群と前記第４レンズ群との空気間隔から望遠端状態における前記第３レンズ群と前記第４レンズ群との空気間隔を引いた値
ｄｉｓ２４ｗ：広角端状態における前記第２レンズ群中の最も像側のレンズ面と前記第４レンズ群中の最も物体側のレンズ面との軸上距離
【請求項６】
前記第２レンズ群と前記第３レンズ群との間に開口絞りが配置されていることを特徴とする請求項１から請求項５のいずれか１項に記載のズームレンズ。
【請求項７】
前記開口絞りは、広角端状態から望遠端状態への変倍に際して前記第３レンズ群と一体的に移動することを特徴とする請求項６に記載のズームレンズ。
【請求項８】
前記第１レンズ群は非球面を有することを特徴とする請求項１から請求項７のいずれか１項に記載のズームレンズ。
【請求項９】
前記第１レンズ群は、物体側から順に、物体側に凸面を向けた負メニスカスレンズと、負レンズと、物体側に凸面を向けた正メニスカスレンズとからなることを特徴とする請求項１から請求項８のいずれか１項に記載のズームレンズ。
【請求項１０】
前記第２レンズ群は、物体側から順に、正レンズと、両凸形状の正レンズと両凹形状の負レンズとの接合レンズと、からなることを特徴とする請求項１から請求項９のいずれか１項に記載のズームレンズ。
【請求項１１】
前記第３レンズ群は、両凹形状の負レンズからなることを特徴とする請求項１から請求項１０のいずれか１項に記載のズームレンズ。
【請求項１２】
前記第４レンズ群は、物体側から順に、物体側に凹面を向けた正メニスカスレンズと、両凸形状の正レンズと、物体側に凹面を向けた負メニスカスレンズとからなることを特徴とする請求項１から請求項１１のいずれか１項に記載のズームレンズ。
【請求項１３】
物体側から順に、負の屈折力を有する第１レンズ群と、正の屈折力を有する第２レンズ群と、負の屈折力を有する第３レンズ群と、正の屈折力を有する第４レンズ群とを配置し、
前記第１レンズ群は、少なくとも１枚の正レンズと少なくとも１枚の負レンズとを配置し、
前記第２レンズ群は、少なくとも１枚の正レンズと少なくとも１枚の負レンズとを配置し、
前記第３レンズ群は、１枚の単レンズのみを配置し、
前記第４レンズ群は、少なくとも１枚の正レンズと少なくとも１枚の負レンズとを配置し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
以下の条件式を満足することを特徴とするズームレンズの変倍方法。
−３．００＜ｆ３／ｆ４＜−０．６０
ただし、
ｆ３：前記第３レンズ群の焦点距離
ｆ４：前記第４レンズ群の焦点距離
【請求項１４】
物体側から順に、負の屈折力を有する第１レンズ群と、正の屈折力を有する第２レンズ群と、負の屈折力を有する第３レンズ群と、正の屈折力を有する第４レンズ群とを配置し、
前記第１レンズ群は、少なくとも１枚の正レンズと少なくとも１枚の負レンズとを配置し、
前記第２レンズ群は、少なくとも１枚の正レンズと少なくとも１枚の負レンズとを配置し、
前記第３レンズ群は、１枚の単レンズのみを配置し、
前記第４レンズ群は、少なくとも１枚の正レンズと少なくとも１枚の負レンズとを配置し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
以下の条件式を満足することを特徴とするズームレンズの変倍方法。
１．７０＜Ｂｆｗ／ｆｗ
ただし、
Ｂｆｗ：広角端状態における前記ズームレンズのバックフォーカス
ｆｗ  ：広角端状態における前記ズームレンズの焦点距離
【手続補正２】
【補正対象書類名】明細書
【補正対象項目名】０００６
【補正方法】変更
【補正の内容】
【０００６】
上記課題を解決するために本発明は、
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
前記第１レンズ群は、少なくとも１枚の正レンズと少なくとも１枚の負レンズとを有し、
前記第２レンズ群は、少なくとも１枚の正レンズと少なくとも１枚の負レンズとを有し、
前記第３レンズ群は、１枚の単レンズからなり、
前記第４レンズ群は、少なくとも１枚の正レンズと少なくとも１枚の負レンズとを有し、
以下の条件式を満足することを特徴とするズームレンズを提供する。
−３．００＜ｆ３／ｆ４＜−０．６０
ただし、
ｆ３：前記第３レンズ群の焦点距離
ｆ４：前記第４レンズ群の焦点距離
【手続補正３】
【補正対象書類名】明細書
【補正対象項目名】０００７
【補正方法】変更
【補正の内容】
【０００７】
また本発明は、
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
前記第１レンズ群は、少なくとも１枚の正レンズと少なくとも１枚の負レンズとを有し、
前記第２レンズ群は、少なくとも１枚の正レンズと少なくとも１枚の負レンズとを有し、
前記第３レンズ群は、１枚の単レンズからなり、
前記第４レンズ群は、少なくとも１枚の正レンズと少なくとも１枚の負レンズとを有し、
以下の条件式を満足することを特徴とするズームレンズを提供する。
１．７０＜Ｂｆｗ／ｆｗ
ただし、
Ｂｆｗ：広角端状態における前記ズームレンズのバックフォーカス
ｆｗ  ：広角端状態における前記ズームレンズの焦点距離
また本発明は、
物体側から順に、負の屈折力を有する第１レンズ群と、正の屈折力を有する第２レンズ群と、負の屈折力を有する第３レンズ群と、正の屈折力を有する第４レンズ群とを配置し、
前記第１レンズ群は、少なくとも１枚の正レンズと少なくとも１枚の負レンズとを配置し、
前記第２レンズ群は、少なくとも１枚の正レンズと少なくとも１枚の負レンズとを配置し、
前記第３レンズ群は、１枚の単レンズのみを配置し、
前記第４レンズ群は、少なくとも１枚の正レンズと少なくとも１枚の負レンズとを配置し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
以下の条件式を満足することを特徴とするズームレンズの変倍方法を提供する。
−３．００＜ｆ３／ｆ４＜−０．６０
ただし、
ｆ３：前記第３レンズ群の焦点距離
ｆ４：前記第４レンズ群の焦点距離
また本発明は、
物体側から順に、負の屈折力を有する第１レンズ群と、正の屈折力を有する第２レンズ群と、負の屈折力を有する第３レンズ群と、正の屈折力を有する第４レンズ群とを配置し、
前記第１レンズ群は、少なくとも１枚の正レンズと少なくとも１枚の負レンズとを配置し、
前記第２レンズ群は、少なくとも１枚の正レンズと少なくとも１枚の負レンズとを配置し、
前記第３レンズ群は、１枚の単レンズのみを配置し、
前記第４レンズ群は、少なくとも１枚の正レンズと少なくとも１枚の負レンズとを配置し、
広角端状態から望遠端状態への変倍に際して、前記第１レンズ群と前記第２レンズ群との間隔が減少し、前記第２レンズ群と前記第３レンズ群との間隔が増大し、前記第３レンズ群と前記第４レンズ群との間隔が減少するように、前記第２レンズ群と前記第３レンズ群と前記第４レンズ群は物体側へ移動し、
以下の条件式を満足することを特徴とするズームレンズの変倍方法を提供する。
１．７０＜Ｂｆｗ／ｆｗ
ただし、
Ｂｆｗ：広角端状態における前記ズームレンズのバックフォーカス
ｆｗ  ：広角端状態における前記ズームレンズの焦点距離